(57)【要約】      （修正有）【課題】ボディの製造において、鋳造の代わりに鍛造で部材を作製し、機械加工後に溶接で一体化する。鍛造では工程中に砂を用いないため砂の巻き込みによる不具合は起きない。鍛造前の鋼材において鋳造に比べれば鬆は少なく、またもし鬆が存在したとしても、熱間鍛造を行うことでこれを欠陥としては無視できるほど削減することができる。【解決手段】ゲートバルブにおいて、ボディは、２つの接続パイプ４５、４６及びゲートを収容するための開口を有し、２つの接続パイプは２つの開口をそれぞれ貫通して、ゲートに両側から対向するように配置され、２つの接続パイプは開口でそれぞれボディに溶接により接合され、この溶接部の形状は円形リング状である。また、ボディの製造において、鋳造の代わりに鍛造でボディの部分を作製し、機械加工後に溶接で一体化する【選択図】図４Ｅ
2018062946.tif 000002
【特許請求の範囲】
【請求項１】
ハンドホイール、ステム、ゲート、ボディ、２つの接続パイプを含み、流体の流れを制御するゲートバルブにおいて、
前記ボディは、前記２つの接続パイプをそれぞれ収容するための第１と第２の開口と、前記ゲートを収容するための第３の開口とを有し、前記２つの接続パイプは前記第１と第２の開口をそれぞれ貫通して前記ゲートに両側から対向するように配置され、
前記２つの接続パイプは、前記第１と第２の開口で前記ボディにそれぞれ溶接により接合され、
前記溶接部の形状が円形リング状である
前記ゲートバルブ。
【請求項２】
前記ボディの形状が、少なくとも前記第１と第２の開口の周辺部が球形の一部である、請求項１に記載の前記ゲートバルブ。
【請求項３】
前記ボディの形状が、少なくとも前記第１と第２の開口の周辺部が円錐形の一部となっている、請求項１に記載の前記ゲートバルブ。
【請求項４】
前記２つの接続パイプの外周に、前記第１と第２の開口付近でそれぞれに円形リング状の突出部分が設けられ、前記突出部分の外周が対応する前記開口と整合するようにされた円形リング状であり、前記突出部分の外周と前記開口との境界が前記溶接部である、請求項１から３に記載の前記ゲートバルブ。
【請求項５】
ハンドホイール、ステム、ゲート、ボディ、２つの接続パイプを含み、流体の流れを制御するゲートバルブの製造方法であって、
前記ボディを複数のボディ部分に分割して鍛造で製造する工程と、
複数の前記ボディ部分を溶接して前記ボディを形成する工程と、
前記２つの接続パイプを前記ゲートに両側から対向するように配置するための、形状が円形リング状である第１と第２の開口を前記ボディの側面に形成する工程と、
前記２つの接続パイプと前記第１と第２の開口とをそれぞれ溶接で接合する工程と
を含む、前記ゲートバルブの製造方法。
【請求項６】
前記開口を前記ボディの側面に形成する工程が機械加工で行われる、請求項５に記載の前記ゲートバルブの製造方法。
【発明の詳細な説明】
【技術分野】
【０００１】
液体やガスを運搬するためのパイプライン、地熱の蒸気、プラントで用いる流体等の流れを制御するバルブのうち、ゲートバルブの構造と製造方法に関する。
【背景技術】
【０００２】
従来のゲートバルブの形状、構造を図１Ａ、１Ｂに示す。低い圧力の用途においては、ボディの形状はゲートを覆う最小の形状として扁平な円筒、又は箱型である。高い圧力を受ける用途の場合、バルブ材料に発生する応力を低減するために、接続パイプ部１７及びボディ１４の形状は一般的に円筒形となっている。接続パイプ部１７の円筒軸に対して直交するようにゲート１２を配置し、ボディ１４内でゲートを上下させるために、ボディ１４は接続パイプ１７より太い円筒形で、接続パイプ１７と直交する形状となっている。
【０００３】
図２Ａ、２Ｂに示す通り、ボディは２本の円筒２０、２２が組み合わされた複雑な形状をしているため、一般に鋳造で製造されている。しかし鋳造工程においては、鬆や砂の巻き込みなどの材料中に不具合が発生する。これを低減するために、製品と同量程度の押し湯（溶解した金属）を用いる必要がある。そのための原材料の増加と、加熱するための燃料の消費のため原材料の無駄が発生し、コスト増の原因となっている（特許文献１、非特許文献１）。ゲートバルブの製造においては、このように鋳造でボディのおおよその形状を作製後、経路となる管内部、ゲートセグメントや付属部品を配置するための箇所を機械加工し、別途作製したゲートセグメント、バルブヘッドを組みあわせて製品を完成する。
【先行技術文献】
【特許文献】
【０００４】
【特許文献１】特開平１０−２９１０６５号公報
【特許文献２】特開２０１４−０６５０５８号公報
【非特許文献】
【０００５】
【非特許文献１】平成25年度戦略的基盤技術高度化支援事業「鋳造歩留まりを１０％以上向上させる新押し湯方式による鋳造方法の開発」中部経済産業局発行、（http://www.chusho.meti.go.jp/keiei/sapoin/portal/seika/2012/24142110052.pdf）
【非特許文献２】電気技術規定ＪＥＡＣ３７０６  ４．５．５（１）
【発明の概要】
【発明が解決しようとする課題】
【０００６】
特許文献２の背景技術にも記載されているとおり、鋳造では、材料に鬆や砂の巻き込み等不良が多く、この補修のために工数と費用を要し、また機械切削の追加工のため製造納期が延びるという問題がある。さらに鋳造では、製品規格によっては、実施可能な個所すべてに放射線検査による検査が要求され、そのための検査工数が多大となる問題もある（非特許文献２）。
【課題を解決するための手段】
【０００７】
上記の課題を解決するために、ボディの製造において、本発明では鋳造の代わりに鍛造で部材を作製し、機械加工後に溶接で一体化する。鍛造では工程中に砂を用いないため砂の巻き込みによる不具合は起きない。鍛造前の鋼材において鋳造に比べれば鬆は少なく、またもし鬆が存在したとしても、熱間鍛造を行うことでこれを欠陥としては無視できるほど削減することが可能である。
【０００８】
しかし、図２Ａ、２Ｂに示した現在市販されているゲートバルブのボディ形状を、単純な円筒構造の部材２０、２２を溶接して製造した場合、図２Ｃに示すように溶接部２４が特殊な形状となり、溶接が困難となる。即ち、接続パイプ（円筒構造の部材２２）の軸方向から見た場合は溶接部２４は円形であるが、接続パイプの軸に垂直な方向から見た場合、溶接部２４は図２Ｃに示すように立体的に湾曲した形状となっている。ステージが回転する汎用の溶接機でこれを溶接しようとした場合、ステージの回転軸と接続パイプの円筒軸を一致させるように設置する。しかし、ステージの回転に従って溶接個所とステージ面からの距離が変動するため、溶接ヘッドを上下させる必要がある上、溶接の厚みも変動する。溶接の厚さが異なると、溶接速度を変化させることによって厚さを揃える等、溶接条件に制限が加わり実施が困難となる。
【０００９】
さらに、この溶接部に放射線検査を実施する場合に、溶接の深さ方向と放射線の透過方向を一定に保つことができないため、溶接欠陥以外でコントラストの変化が起き、欠陥の検出感度を下げるという問題も生じる。図１Ａ、１Ｂに示されたゲートバルブのフランジ１６から反対側のフランジまでの寸法は、American Petroleum Institute 等の国際規格があるため、ボディを任意に大きくすることはできない。もしボディ全体を球形状にすると、フランジからフランジまでの長さがこの規格よりも大きくなる。
【００１０】
本発明の他の目的は、この溶接部の形状を単純な形状とするためのボディの構造を提供することにある。
【００１１】
本発明では、図３Ａに示すように、ボディのうち接続パイプ３２を溶接する箇所の周辺部３０の形状を球形の一部として、溶接部３３のどの部分も同一の形状である円形リング状とする。このようにした場合、溶接部３３の形状は図３Ａ、３Ｃから分かるように平面上にあり、かつ図３Ｂに示すようにどの部分でも形状が変わらない（即ち円形）ため、一般に市販されている、ステージが回転する溶接機で溶接が可能となる。さらに本発明では、ゲートバルブのボディを製造する際、これを複数の部分に分割して製造することによって、鍛造を容易に行うことができる。
【発明の効果】
【００１２】
溶接部の形状を単純な円形リング状とすることにより、汎用の溶接機での量産が可能となる。また溶接部の放射線検査おいて、溶接欠陥以外にコントラストの変化を起こす要因が無く、通常の放射線検査が可能となる。
【００１３】
さらに、鍛造で製造することにより、鋳造の鬆漏れの問題がなくなることによる手直しのコスト削減、手戻りがなくなることによる工期短縮が可能となる。また、鋳造に比較して、鍛造では押し湯が不要な分、材料の消費を少なくすることができ、その結果コストダウンが可能となる。また、鋳造では欠陥検出のため、放射線検査が可能な個所全ての検査を要求されることがあるが、鍛造とすることで溶接個所の放射線検査等の非破壊検査が容易となる。あるいは検査を省略することができる。
【００１４】
また、内圧が高い用途の場合、ボディを球形とすることで高い圧力に耐えることができ、また容器の材料厚さを薄くすることができる。
【００１５】
このように、溶接部の形状を単純な円形リング状とし、ボディを部分化して鍛造で製造することにより、ゲートバルブのボディを低コストで高い信頼性をもって製造することができる。
【図面の簡単な説明】
【００１６】
【図１Ａ】従来のゲートバルブの構造（ボディ、接続パイプ等の部分を削除）の斜視図である。
【図１Ｂ】従来のゲートバルブの断面図である。
【図２Ａ】従来の鋳造ゲートバルブの円筒形ボディと接続パイプ部との接合部の上面図である。
【図２Ｂ】従来の鋳造ゲートバルブの円筒形ボディと接続パイプ部との接合部の斜視図である。
【図２Ｃ】従来の鋳造ゲートバルブの円筒形ボディと接続パイプ部との接合部の断面図である。
【図３Ａ】本発明による球形状ボディと接続パイプ部との接合部の上面図である。
【図３Ｂ】本発明による球形状ボディと接続パイプ部との接合部の側面図である。
【図３Ｃ】本発明による球形状ボディと接続パイプ部との接合部の正面図である。
【図４Ａ】本発明によるボディ球形部の分割図である。
【図４Ｂ】本発明によるボディ球形部の溶接図である。
【図４Ｃ】本発明による球形部の加工図である。
【図４Ｄ】本発明による接続パイプ部と接続パイプの溶接図である。
【図４Ｅ】本発明による接続パイプ部とボディ下部の溶接図である。
【図５】本発明による接続パイプ溶接部の非破壊検査時の断面図である。
【発明を実施するための形態】
【実施例１】
【００１７】
ボディを鍛造で作製する際に、軸対称の形状であればリング鍛造と型鍛造を用いて容易に製造可能となる。しかし、リング鍛造、型鍛造ともに、長さ／直径比が大きいもの、肉厚が薄いものは形成が困難となる。鍛造を容易とするため、図４Ａに示すように、ボディを接続パイプ部で分割して長さ／直径比を小さくする。また、分割することによりボディ中央部の膨らみを型鍛造することができ、最終形態に近い素材を用いることができるので材料費の低減が可能となる。
【００１８】
炭素０．１〜０．４％の鉄鋼材料を用いて、ボディの各部分４０、４１を１０００~１５００℃で熱間鍛造し、必要に応じて熱処理（焼き入れ、焼きなまし）を行う。半球形状のボディ部分４０、４１を図４Ｂに示すように溶接した後、接続パイプを差し込むための開口４２をボディの両側に機械加工により作製する（図４Ｃ）。例えば、Ｕ軸を持つマシニングセンターにより円状に切り込み、そのまま切削することにより加工する。
【００１９】
次に、図４Ｄに示すように、作製した対向する開口４２に接続パイプ４５、４６をそれぞれ差し込んで溶接する。このとき、ボディの接続パイプを差し込む周辺部分４４が球形状に形成されているため、溶接部分４３の形状は水平面内にある円形リング状となる。従って、溶接トーチと被溶接物の角度を一定に保ち、被溶接物を水平面内で回転させるだけで、容易に溶接することができる。なお、溶接部分の形状を水平面内で円形リング状とするには、周辺部分４４を球形状にする他に、回転軸が接続パイプの軸と一致した円錐形状としてもよく、あるいは回転軸が接続パイプの軸と一致したそれ以外の曲面としてもよい。
【００２０】
次に図４Ｅに示すようにボディの底となる部分４８を溶接し、最後にバルブボンネット１０のボルトを受ける部分を溶接する（図示せず）。ボディ溶接後、必要であれば応力緩和のため熱処理を行う。なお、本実施例の溶接にはＴＩＧ、ＭＩＧ、ＭＡＧ、サブマージの各方法を用いることができる。
【００２１】
ボディの溶接完了後、ゲートセグメント部品をはめ込むために、図４Ｄで差し込んだ接続パイプ２２の対向する円筒形の個所を、所定の間隔、形状と面粗度になるように、Ｕ軸を持ったマシニングセンターで機械加工を行う（図示せず）。そして、別途製造したゲート１２、ボンネット１０、ステム６等の部品を組立ててゲートバルブが完成する。
【実施例２】
【００２２】
本発明では、接続パイプの溶接部を図５に示すようにしてもよい。即ち、接続パイプ５５の外側に、リング状の突出部分５７をボディの球形部の一部を成す形状に接続パイプと一体に形成し、この突出部分５７の外周と、これと整合するように作製した開口との境界を溶接部５３とする。この突出部分５７は接続パイプの外側に２ｃｍ以上飛び出すようにすると、放射線検査において、放射線源６０からの放射線６１を溶接部５３に照射しやすくでき、また放射線検出用の感光フィルム６２をボディ内部に容易に固定できるので、放射線検査を容易に行うことができる。
【００２３】
なお、上記記載は実施例についてなされたが、本発明はそれに限定されず、本発明の精神と添付の請求の範囲の範囲内で種々の変更、及び修正をすることができることは当業者に明らかである。
【符号の説明】
【００２４】
１  ステムインジケーター
２  ステムカバー
３  ハンドホイール
４  ヨークナット
５  ヨーク
６  ステム
７  ヨークボルト
８  ステムパッキン
９  リリーフバルブ
１０  ボンネット
１１  ボンネットボルト
１２  ゲート
１３  シートリング
１４  ボディ
１５  脚
１６  フランジ
１７、２２、３２、４５、４６、５５  接続パイプ
２０、５０  ボディ
３０、４４  ボディの溶接する箇所の周辺部
３３、４３、５３  溶接部
４０、４１  ボディ部分
４２  開口
５７  突出部分
６０  放射線源
６１  放射線
６２  フィルム
【図１Ａ】
2018062946.tif 000003
【図１Ｂ】
2018062946.tif 000004
【図２Ａ】
2018062946.tif 000005
【図２Ｂ】
2018062946.tif 000006
【図２Ｃ】
2018062946.tif 000007
【図３Ａ】
2018062946.tif 000008
【図３Ｂ】
2018062946.tif 000009
【図３Ｃ】
2018062946.tif 000010
【図４Ａ】
2018062946.tif 000011
【図４Ｂ】
2018062946.tif 000012
【図４Ｃ】
2018062946.tif 000013
【図４Ｄ】
2018062946.tif 000014
【図４Ｅ】
2018062946.tif 000015
【図５】
2018062946.tif 000016